(57)【要約】【課題】何番目の気筒用の作動指令かを容易に確認できるようにする。【解決手段】多気筒ガスエンジンにおける各気筒のガス供給電磁弁の作動が所定の順番で適正に行われるか否かをチェックする試験方法において、着火順位１番目の気筒のガス供給電磁弁の作動を、２回の連続作動（作動指令Ｓ１＋Ｓ１’）等の他と区別し得るパターンで行わせる。【選択図】　　　図１
2004116353.tif 000002
【特許請求の範囲】
【請求項１】
多気筒エンジンにおける各気筒の着火関連機器の作動が所定の順番で適正に行われるか否かを調べる試験方法において、
少なくとも１つの気筒の着火関連機器の作動を、他と区別し得るパターンで行わせることを特徴とする多気筒エンジンにおける着火関連機器の試験方法。
【請求項２】
前記少なくとも１つの気筒の着火関連機器の作動を、複数回の連続作動として行わせることを特徴とする請求項１記載の多気筒エンジンにおける着火関連機器の試験方法。
【請求項３】
前記少なくとも１つの気筒の着火関連機器の作動を、その前または後の順番の着火関連機器の作動に対し間隔を変化させたタイミングで行わせることを特徴とする請求項１記載の多気筒エンジンにおける着火関連機器の試験方法。
【請求項４】
前記各気筒の着火関連機器の作動を、着火順番に応じた回数の連続作動として行わせることを特徴とする請求項１記載の多気筒エンジンにおける着火関連機器の試験方法。
【請求項５】
前記各気筒の着火関連機器の作動の間隔を、着火順番に応じて変化させることを特徴とする請求項１記載の多気筒エンジンにおける着火関連機器の試験方法。
【請求項６】
請求項１〜５のいずれかに記載の試験方法を実施するためのプログラムを記憶し、該プログラムに従って各気筒の着火関連機器に動作指令を与えることで試験を実施するコントローラを備えていることを特徴とする多気筒エンジンにおける着火関連機器の試験装置。
【発明の詳細な説明】
【０００１】
【発明の属する技術分野】
本発明は、多気筒エンジンにおける着火関連機器の試験方法及び装置に係り、例えばガスエンジンにおけるガス供給電磁弁、ディーゼルエンジンにおける燃料噴射弁等の作動確認のための試験方法及び装置に関する。
【０００２】
【従来の技術】
ガスエンジンやディーゼルエンジン等の多気筒エンジンには、ガス供給電磁弁や燃料噴射弁等の着火関連機器（着火タイミングに関連して作動すべき機器）が備わっている。これらの着火関連機器は各気筒毎に備わっており、所定の着火順序に従って確実に作動しなければならない。そのため、試運転前のエンジン停止状態で、各気筒の着火関連機器に着火順序通りに作動指令を与え、それに応答して各着火関連機器が所定の順番で適正に作動するか否かをテストするのが一般的である。
【０００３】
ガスエンジンの場合について説明する。図３において、１は多気筒エンジンの中の１つの気筒を示している。各気筒１には、ピストン２、燃焼室３、副室４、パイロット噴射弁５、グロープラグ６、給気通路７、排気通路８等が備わっており、給気通路７には着火関連機器としてガス供給電磁弁１０が備わっている。これらの構成は全気筒について同様であり、図３では幾つかのガス供給電磁弁１０のみを示してある。コントローラ１２は、運転時にこれらのガス供給電磁弁１０に所定の順番で励磁信号を与える。それにより各気筒のガス供給電磁弁１０が順番に作動し、予め決まった順番で各気筒が着火動作を起こして、エンジン駆動力が発生する。
【０００４】
このような多気筒エンジンにおいて、ガス供給電磁弁１０の作動をチェックする場合には、コントローラ１２から試験信号を出力する。即ち、コントローラ１２から、ガス供給電磁弁１０を着火順序どおりに励磁させる指令信号を出力し、指令した着火順序どおりにガス供給電磁弁１０が作動するかどうかを、作業者がガス供給電磁弁１０の発する作動音を聞きながら確認する。例えば、ｎ番目の気筒用の作動指令が出力された場合、正しくはｎ番目の気筒のガス供給電磁弁１０が作動音を発しなければならないが、別の気筒のガス供給電磁弁１０が作動音を発した場合は、配線間違いの可能性ありと判断することができる。全部の気筒について作動指令と電磁弁の作動音発生の対応関係を調べる。それにより配線が正しく行われている否かを確認することができる。また、作動音の有無により、該当するガス供給電磁弁１０が正常に作動するかどうかが確かめられる。このテストは、「カチッ」という電磁弁の作動音で確認することから、クリックテストと呼ばれている。
【０００５】
【特許文献１】特開昭５９−５８１２８号公報
【０００６】
【発明が解決しようとする課題】
ところで、このテストは、作動指令を何巡か続けて出力させることにより繰り返し行うのが通例であるが、気筒数が多い場合、何巡か続けて作動指令を出力させているうちに、どれが着火順位１番目の気筒用の作動指令であるのか分からなくなることがある。即ち、従来のテストにおいては、図４に示すように、１つの電磁弁の作動指令（励磁信号）Ｓ１、Ｓ２、・・・Ｓｎから次の電磁弁の作動指令Ｓ２、Ｓ３・・・Ｓｎ、Ｓ１までの間隔Ａが全て等しくなっていたので、つまり、最後の順番の作動指令Ｓｎから次巡の第１番目の作動指令Ｓ１までの間隔が他と等しくなっていたので、２巡目以降からはどれが１番目の気筒用の作動指令なのか特定するのが難しくなっていた。そのため、作動指令と電磁弁の作動音の対応関係を確認するのに時間や手間がかかる問題があった。
本発明は、上記事情を考慮し、何番目の気筒用の作動指令かを容易に確認できて、確認作業の手間と時間を省略できるようにした多気筒エンジンにおける着火関連機器の試験方法及び装置を提供することを目的とする。
【０００７】
【課題を解決するための手段】
請求項１の発明は、多気筒エンジンにおける各気筒の着火関連機器の作動が所定の順番で適正に行われるか否かを調べる試験方法において、少なくとも１つの気筒の着火関連機器の作動を、他と区別し得るパターンで行わせることを特徴とする。
【０００８】
本発明の試験方法では、ある特定の着火順位の着火関連機器を他と区別し得るパターンで作動させる。即ち、ある特定の着火順位の着火関連機器に対する作動指令として、他と区別し得るパターンで作動するような指令を与える。そうすることにより、２巡目以降のテスト作動においても、その着火関連機器を特定することができる。例えば、１番目の着火関連機器用の作動指令を送っている場合、その作動指令が１番目の作動指令であるかどうかを、着火関連機器の作動のパターンを確認することで特定することができる。従って、１番目の作動指令を基準にして、続く他の作動指令と着火関連機器の対応関係も容易に確認することができる。
【０００９】
請求項２の発明は、請求項１において、前記少なくとも１つの気筒の着火関連機器の作動を、複数回の連続作動として行わせることを特徴とする。
【００１０】
本発明の試験方法では、例えば、１番目の着火関連機器だけを２回連続して作動させる。そうすることにより、２回の連続作動が起こった場合には、その作動指令が１番目の着火関連機器用のものだと特定することができる。後はそれを基準に、作動指令と着火関連機器の実際の作動との対応関係を確認すればよい。
【００１１】
請求項３の発明は、請求項１において、前記少なくとも１つの気筒の着火関連機器の作動を、その前または後の順番の着火関連機器の作動に対し間隔を変化させたタイミングで行わせることを特徴とする。
【００１２】
本発明の試験方法では、例えば、最後の着火関連機器の作動タイミングとそれに続く１番目の着火関連機器の作動タイミングの間隔を他と異ならせる。例えば間隔を長くする。そうすることにより、着火関連機器間の作動間隔が他と違って長い場合に、その次の作動指令が１番目の着火関連機器用の作動指令であると特定することができる。後はそれを基準に、作動指令と着火関連機器の実際の作動との対応関係を確認すればよい。
【００１３】
請求項４の発明は、請求項１において、前記各気筒の着火関連機器の作動を、着火順番に応じた回数の連続作動として行わせることを特徴とする。
【００１４】
本発明の試験方法では、例えば１番目の着火関連機器は１回の作動をさせ、２番目の着火関連機器は２回の連続作動をさせ、ｎ番目の着火関連機器はｎ回の連続作動をさせると予め決めておく。そうすることにより、連続作動回数をカウントすることにより、何番目の着火関連機器用の作動指令であるかを容易に確認することができる。
【００１５】
請求項５の発明は、請求項１において、前記各気筒の着火関連機器の作動の間隔を、着火順番に応じて変化させることを特徴とする。
【００１６】
本発明の試験方法では、各気筒の着火関連機器の作動の間隔を着火順番に応じて変化させる。そうすることにより、作動間隔を測定することにより、何番目の着火関連機器用の作動指令であるかを容易に確認することができる。
【００１７】
請求項６の発明は、請求項１〜５のいずれかに記載の試験方法を実施するためのプログラムを記憶し、該プログラムに従って各気筒の着火関連機器に動作指令を与えることで試験を実施するコントローラを備えていることを特徴とする。
【００１８】
本発明の試験装置では、コントローラが前述の試験のための動作指令を自動で出力するので、作業者は着火関連機器の作動を確認するだけで、試験を行うことができる。
【００１９】
【発明の実施の形態】
以下、本発明の実施形態を図面に基づいて説明する。
本発明の実施形態の試験装置は、図３に示したものと同じシステムの中に組み込まれている。但し、コントローラ１２に格納された試験用のプログラムが異なり、そのプログラムによって実行される試験方法が従来のものと異なる。コントローラ１２によって実行される試験方法は、着火順位第１番目の気筒のガス供給電磁弁の作動を、他と区別し得るパターンで行わせるものである。
【００２０】
その第１の実施形態では、図１に示すように、第１番目のガス供給電磁弁の作動指令を、２回の連続作動Ｓ１＋Ｓ１’として行わせることにより、他のガス供給電磁弁への作動指令との違いを出させている。この場合、ガス供給電磁弁毎に与える作動指令の間隔は全て同じ間隔Ａとなっているが、１番目の作動指令に応答するガス供給電磁弁だけが２回連続して作動する（「カチッ、カチッ」と２度クリック音を発する）ことにより、その電磁弁に入力された作動指令（実際は作動指令を供給する配線）が１番目の気筒用のものだと特定することができる。後はそれを基準に、作動指令とガス供給電磁弁の実際の作動との対応関係を確認すればよい。
【００２１】
第２の実施形態では、図２に示すように、第１番目のガス供給電磁弁の作動指令Ｓ１を、その前の順番である最後（ｎ番目）のガス供給電磁弁の作動指令Ｓｎに対し間隔を長くしたタイミングで行わせることにより、他のガス供給電磁弁への作動指令との違いを出させている。即ち、１巡目の最後の作動指令Ｓｎを発してから２巡目の第１番目の作動指令Ｓ１を発するまでの間隔Ｂを、他の作動間隔Ａに比べて明らかに違いが分かるように長く設定している。そうすることで、ガス供給電磁弁の作動間隔が他と違って長い場合に、その電磁弁に入力された作動指令（実際は作動指令を供給する配線）が１番目の気筒用のものだと特定することができる。後はそれを基準に、作動指令とガス供給電磁弁の実際の作動との対応関係を確認すればよい。
【００２２】
その他の実施形態としては、各ガス供給電磁弁の作動を着火順番に応じた回数の連続作動として行わせたり、各ガス供給電磁弁の作動の間隔を着火順番に応じて変化させたりする方法を採用することも可能である。いずれの場合も、ガス供給電磁弁の作動パターンによって、その電磁弁に入力された作動指令（実際は作動指令を供給する配線）が何番目の気筒用の作動指令であるかを容易に確認することができる。従って、試験が容易になり、手間と時間を節約することができる。
【００２３】
なお、上記実施形態では、ガスエンジンのガス供給電磁弁の作動テストに本発明を適用した場合を述べたが、同ガスエンジンにおけるパイロット噴射弁やディーゼルエンジンの燃料噴射弁の作動テストにも本発明を適用することができる。また、他の多気筒エンジンのその他の着火関連機器の作動テストにも本発明は適用することができる。
【００２４】
【発明の効果】
以上説明したように、請求項１の発明によれば、特定の気筒の着火関連機器の作動パターンを他と区別できるようにしたので、ある着火関連機器においてその作動パターンが検出された場合、その着火関連機器に入力されている作動指令（実際は配線）がどの気筒用のものであるかを特定することができる。従って、その作動指令を基準にして他の作動指令と着火関連機器の対応関係を容易に確認することができ、作動確認試験の手間と時間が省略できる。
【００２５】
請求項２の発明によれば、特定の気筒の着火関連機器の作動を複数回の連続作動として行わせるので、ある着火関連機器で連続作動が検出された場合、その着火関連機器に入力されている作動指令（実際は配線）がどの気筒用のものであるかを簡単に特定することができる。
【００２６】
請求項３の発明によれば、特定の気筒の着火関連機器の作動を、その前または後の順番の着火関連機器の作動に対し間隔を変化させたタイミングで行わせるので、ある着火関連機器の作動間隔が他と違うと検出された場合、その着火関連機器に入力されている作動指令（実際は配線）がどの気筒用のものであるかを簡単に特定することができる。
【００２７】
請求項４の発明によれば、各気筒の着火関連機器の作動を、着火順番に応じた回数の連続作動として行わせるので、連続作動回数をカウントすることにより、何番目の着火関連機器用の作動指令であるかを容易に確認することができる。
【００２８】
請求項５の発明によれば、各気筒の着火関連機器の作動の間隔を、着火順番に応じて変化させるので、作動間隔を測定することにより、何番目の着火関連機器用の作動指令であるかを容易に確認することができる。
【００２９】
請求項６の発明によれば、コントローラの命令によって自動的に試験を行うことができる。
【図面の簡単な説明】
【図１】本発明の第１実施形態の試験方法の説明に使用するタイムチャートである。
【図２】本発明の第２実施形態の試験方法の説明に使用するタイムチャートである。
【図３】ガスエンジンの概略系統図である。
【図４】従来の試験方法の説明に使用するタイムチャートである。
【符号の説明】
１０　ガス供給電磁弁（着火関連機器）
１２　コントローラ
Ｓ１〜Ｓｎ　作動指令
【図１】
2004116353.tif 000003
【図２】
2004116353.tif 000004
【図３】
2004116353.tif 000005
【図４】
2004116353.tif 000006